(57)【要約】【課題】  水流出ノズルや水流形成媒体が取り付けられる上部水溜め側の、設置作業やメンテナンス作業の容易化を図る。【解決手段】  上下孔４４中に水流形成媒体５の一端側が差し込まれ、上部水溜め２中の水を上下孔４４を介して、水流形成媒体５に導く水流出ノズル４を、これに水流形成媒体５の一端側を支持させた状態で、底部２０ａ側から上部水溜め２内に差し込むようにして、上部水溜め２に着脱可能に取り付けられるようにした。水流出ノズル４と水流形成媒体５とが、一体として、上部水溜め２の底部（下方）側からこの上部水溜め２に着脱可能に取り付けられるので、上部水溜め２の内方側（上方側）の作業がなくなり、装置の設置作業やメンテナンス作業の容易化を達成できる。【選択図】        図４
2005313451.tif 000002
【特許請求の範囲】
【請求項１】
上部水溜め中の水を、この上部水溜めから下方に垂らされた細長い水流形成媒体を伝わらせて、表面張力による柱状の水流を形成させつつ下部水溜めまで降下させるとともに、前記下部水溜め中の水を前記上部水溜めに戻して循環させるようにした水流鑑賞装置であって、
上下孔中に前記水流形成媒体の一端側が差し込まれ、前記上部水溜め中の水を前記上下孔を介して前記水流形成媒体に導く水流出ノズルを、この水流出ノズルに前記水流形成媒体の一端側を支持させた状態で、底部側から前記上部水溜め内に差し込むようにして、この上部水溜めに着脱可能に取り付けるようにしていることを特徴とする水流鑑賞装置。
【請求項２】
前記水流出ノズルには、前記上部水溜め中の水を前記上下孔を介して前記水流形成媒体に導く水平孔が、前記上下孔と交差して、この水流出ノズルを貫通するように形成されているとともに、前記水平孔が、幅サイズに比べて上下方向に長い長孔に形成されていることを特徴とする請求項１記載の水流鑑賞装置。
【請求項３】
前記水平孔の幅サイズが、前記上下孔の径とほぼ同サイズか又はこの上下孔の径より大きく形成されていることを特徴とする請求項２記載の水流鑑賞装置。
【発明の詳細な説明】
【技術分野】
【０００１】
本発明は、下方に垂らした細長い水流形成媒体に沿って水を流すことにより、この水流形成媒体周りに、表面張力の作用で柱状の水流を形成する水流鑑賞装置に関するものである。
【背景技術】
【０００２】
水流形成媒体を介在させて、上方から下方に水を落下させるように流すことにより、この水流形成媒体に沿った、種々の形状の水流を見て楽しむ水流鑑賞装置は知られている（例えば特許文献１）。例えば、このような流水鑑賞装置の１つに、水流形成媒体として細長い樹脂フィルムを使用し、この樹脂フィルム周りの水流を、水の表面張力を利用して柱状（円柱状）に形成するようにしたものがある。  
【０００３】
この水流鑑賞装置では、図８で示されるように、上部水溜め１００に取り付けられた水流出ノズル１０１から下方の下部水溜め１０２まで、帯状の樹脂フィルム１０３を下方に垂らし、上部水溜め１００中の水Ｗを、水流出ノズル１０１を介して樹脂フィルム１０３に導くことにより、この樹脂フィルム１０３周りに、水の表面張力を利用した柱状の水流Ｓを形成している。この場合、水流出ノズル１０１や樹脂フィルム１０３は複数組設けられており、一度に多数の柱状水流Ｓが観察できるようになっている。
【０００４】
なお、水流出ノズル１０１には、図９で示されるように、樹脂フィルム１０３の上端側が差し込まれる上下孔１０１ａと、上下孔１０１ａと交差するように、この水流出ノズル１０１を貫通し、上部水溜め１００内の水を上下孔１０１ａを介して樹脂フィルム１０３側に導く水平孔１０１ｂとが設けられている。
【０００５】
【特許文献１】特開平６−２６９７１０号公報
【発明の開示】
【発明が解決しようとする課題】
【０００６】
上記水流鑑賞装置では、図９で示されるように、樹脂フィルム１０３を支持する水流出ノズル１０１が、上部水溜め１００の内方（上方）側から、この上部水溜め１００に取り付けられる。このため、この水流鑑賞装置では、上部水溜め１００を例えば建物の天井Ｔ（図８参照）側に設置した後、水流出ノズル１０１等を、上部水溜め１００と建物の天井Ｔ間の狭い空間Ｖを利用して、この上部水溜め１００側に取り付けねばならないという問題があった。
【０００７】
すなわち、上部水溜め１００上の狭い空間Ｖ側から、ねじ孔Ｎに雄ねじ部１０１ｃをねじ込むようにして、水流出ノズル１０１をパッキンＰを介して上部水溜め１００に取り付ける。つぎに、樹脂フィルム１０３の一端側を、水流出ノズル１０１の上下孔１０１ａを介して、上部水溜め１００の下方側から上部水溜め内に通した後、再び上記狭い空間Ｖ側から、この樹脂フィルムの一端側に吊り下げ部材１０４を取り付けて、この樹脂フィルム１０３を水流出ノズル１０１に支持させるようにしていた。
【０００８】
また、この水流鑑賞装置では、装置の設置後、水流出ノズル１０１周り等への水垢やゴミの付着に対する点検や清掃を行う必要がある。この場合、作業員は上部水溜め１００上の狭い空間Ｖにおいて、上部水溜め１００から水流出ノズル等を取り外し、これらの清掃や点検等を行う必要があり、メンテナンス作業も容易でないという問題があった。
【０００９】
この発明は、以上の点に鑑み、水流出ノズルや水流形成媒体が取り付けられる上部水溜め側の、設置作業やメンテナンス作業が容易にできる水流鑑賞装置を提供することを目的とする。
【課題を解決するための手段】
【００１０】
この発明の請求項１記載の発明は、上部水溜め中の水を、この上部水溜めから下方に垂らされた細長い水流形成媒体を伝わらせて、表面張力による柱状の水流を形成させつつ下部水溜めまで降下させるとともに、前記下部水溜め中の水を前記上部水溜めに戻して循環させるようにした水流鑑賞装置であって、上下孔中に前記水流形成媒体の一端側が差し込まれ、前記上部水溜め中の水を前記上下孔を介して前記水流形成媒体に導く水流出ノズルを、この水流出ノズルに前記水流形成媒体の一端側を支持させた状態で、底部側から前記上部水溜め内に差し込むようにして、この上部水溜めに着脱可能に取り付けるようにしていることを特徴とする。
【００１１】
この発明では、装置の据え付けに当たって、上部水溜めを例えば建物の天井側に取り付けた後、水流形成媒体の一端側を支持する水流出ノズルを、上部水溜めの底部側（下方側）からこの上部水溜め内に差し込むようにすることにより、この水流出ノズルとこれに支持される水流形成媒体の一端側とを、上部水溜め側に一度に取り付けることができる。そして、この作業は、上部水溜めの下方に梯子等を設置することにより、作業者によって容易になされる。なお、水流出ノズルによる水流形成媒体の一端側の支持は、例えば、地上で行うようにすればよい。
【００１２】
また、装置のメンテナンスに当たっては、作業者が、同様に梯子等を用いて、上部水溜めの下方側から、水流形成媒体の一端側を支持する水流出ノズルを上部水溜めから取り外せばよい。そして、取り外された水流出ノズル等を、地上に下ろして又は取り外しと同時に、点検及び清掃して、再び、上部水溜めに同様にして取り付ければよい。
【００１３】
この発明の請求項２記載の発明は、請求項１記載の発明の場合に、前記水流出ノズルには、前記上部水溜め中の水を前記上下孔を介して前記水流形成媒体に導く水平孔が、前記上下孔と交差して、この水流出ノズルを貫通するように形成されているとともに、前記水平孔が、幅サイズに比べて上下方向に長い長孔に形成されていることを特徴とする。
【００１４】
この発明では、上部水溜め内の水は、水流出ノズルの水平孔を通って、水流出ノズルの上下孔に入り、この上下孔中の水流形成媒体を伝って下部水溜めまで降下する。この場合、上部水溜め内の水は、水平孔の２つの開口から水平孔内に流れ込んだ後、上下孔に流れ込むが、水平孔が上下に長い長孔に形成されている分、水平孔には充分な水量の水がゆっくりと流れ込む。したがって、水平孔を介して、上下孔にも上方や左右方向から比較的均一に水が流れ込み、上下孔中の水の流れに、例えばぶつかり合いのような大きな乱れ（強い乱流状態）は生じにくい。なお、水平孔が、例えば円形断面の孔の場合、水平孔内での水の流速が大きくなりやすく、かつ、上下孔への上方側からの水の流れが少なくなるので、水平孔内で上下孔に集まる、水平孔側の２つの流れに衝突が生じやすく、上下孔中の水の流れに大きな乱れを生じさせやすい。
【００１５】
この発明の請求項３記載の発明は、請求項２記載の発明の場合に、前記水平孔の幅サイズが、前記上下孔の径とほぼ同サイズか又はこの上下孔の径より大きく形成されていることを特徴とする。
【発明の効果】
【００１６】
この発明の請求項１記載の発明によれば、水流出ノズルと水流形成媒体とを、一体として、上部水溜めの底部（下方）側からこれに着脱できるので、例えば建物の天井と上部水溜め間の狭い空間を使用しなくても、水流出ノズルや水流形成媒体の、上部水溜め側に対する取り付けや取り外しを行うことができ、装置の設置作業やメンテナンス作業の容易化を図ることができる。
【００１７】
この発明の請求項２記載の発明によれば、水流出ノズルの水平孔から上下孔に入る水の流れに、乱れが生じにくくなっているので、上下孔から水流形成媒体側に降下して形成される柱状水流の乱れを、その分、無くすことができる。
【００１８】
この発明の請求項３記載の発明によれば、水流出ノズルの水平孔から上下孔に入る水の流れを、より均一にして乱れを生じないようにできるので、請求項２記載の効果をより達成できる。
【発明を実施するための最良の形態】
【００１９】
以下、この発明の実施の形態を図面を参照しつつ説明する。
図１はこの発明の一実施の形態に係る水流鑑賞装置の外観を示しており、図２はこの水流鑑賞装置の主要部の構成を示している。
【００２０】
水流鑑賞装置１は、図１で示されるように、上部が建物の天井Ｔ近くに設置され、下部が建物の床面Ｆ上に設置された上下に長い箱状のものである。この水流鑑賞装置１は、上部から下部に向かって一定間隔で垂らされた例えば１６本（４行４列で１６本）の細長い水流形成媒体である樹脂フィルムに沿って、水を表面張力を利用して円柱状に流し、その柱状水流Ｓの美しさを鑑賞しようとするものである。この水流鑑賞装置１は、例えば、多くの人の集まるホテル内やレストラン内、人通りの多い屋内通路等に設置されて、多数の人の目を楽しませるものである。
【００２１】
この水流鑑賞装置１は、図１及び図２で示されるように、上部水溜め２と、下部水溜め３と、１６個の水流出ノズル４・・と、１６本の樹脂フィルム５・・と、１６個の吊り下げ部材６・・と、１６個の重り７・・と、天井側化粧板８Ａ及び床側化粧板８Ｂと、支持架台９と、４枚ずつの上部外壁パネル１０Ａ・・及び下部外壁パネル１０Ｂ・・と、４枚のガラス板１１・・と、ポンプ１２と、流量調整弁１３と、水パイプ１４等とから構成されている。
【００２２】
上部水溜め２は、水流出ノズル４等に水Ｗを供給するものであり、図２で示されるように、建物の天井Ｔ側に支持具Ｇを介して水平に取り付けられている。この上部水溜め２は、本体部２０が比較的浅い皿状に形成されていて、その底部２０ａに、水流出ノズル４の取付孔となるねじ孔Ｎが、一定のピッチで１６個貫通するように形成されている。本体部２０の上部は、カバー２１で覆われていて、外方の塵・ほこり等が内部に入らないようになっている。
【００２３】
下部水溜め３は、樹脂フィルム５を介して上部水溜め２から降下する水Ｗを溜めるものであり、図２で示されるように、建物の床面Ｆ上に、支持代Ｄを介して設置されている。この下部水溜め３は、上部水溜め２と略同一形状をしている。
【００２４】
水流出ノズル４は、図２で示されるように、樹脂フィルム５を支持するとともに、上部水溜め２内の水Ｗを樹脂フィルム５側に導く働きを有するものである。この水流出ノズル４は、図３の（ａ）〜（ｄ）で示されるように、下部が、６角柱状の締付部４０となっており、上部が、ねじ孔Ｎを介して上部水溜め２内に差し込まれる差込部４１となっている。また、この水流出ノズル４の中間部は、上部水溜め２への取付部となる、この上部水溜め２のねじ孔Ｎにねじ込まれる雄ねじ部４２となっている。この場合、締付部４０と雄ねじ部４２とは、ボルト形状に形成されている。また、雄ねじ部４２の外径（上部水溜め２のねじ孔Ｎの径）は差込部４１の外径より充分に大きく形成されている。そして、この水流出ノズル４は、パッキンＰを介して、上部水溜め２の底部側２０ａに取り付けられる。
【００２５】
この水流出ノズル４には、軸方向（上下方向）に向かって、上下孔４４が貫通するように形成されている。この上下孔４４には、樹脂フィルム５が下端側から上端側まで差し込まれる。また、水流出ノズル４の差込部４１には、上下孔４４と直交して交差する水平孔４５が貫通するように形成されている。水平孔４５は、上部水溜め２内の水を、上下孔４４に導いた後、樹脂フィルム５に沿って下降させるものである。この水平孔４５は、左右の幅サイズＪが上下孔４４の径ｄ（例えば５ｍｍ）と略同一に形成され、上下サイズＨが幅サイズＪより充分に大きく（例えば２０ｍｍ）形成されている。
【００２６】
樹脂フィルム５は、図２で示されるように、上部水溜め２中の水Ｗを、自身に伝わらせつつ、下部水溜め３まで流す水流形成媒体である。この樹脂フィルム５周りの水流が、流量や流速の調整、流れに乱れを無くす調整等を行うことによって、水の表面張力を利用した滑らかな柱状（円柱状）水流Ｓに形成される。
【００２７】
この樹脂フィルム５は、例えば、厚さ０．５ｍｍの薄い合成樹脂材を、例えば幅４ｍｍ、長さ数ｍ（例えば、２又は３ｍ〜７又は８ｍ）の、細長い帯状に形成したものである。この樹脂フィルム５は、上端側が上部水溜め２中の水流出ノズル４の上下孔４４を挿通した状態で、下端側が下部水溜め３内方まで垂らされている。樹脂フィルム５の上端には、溝６ａを介して吊り下げ部材６が加圧変形された状態で取り付けられている。この場合、吊り下げ部材６は、樹脂フィルム５の上端が水流出ノズル４に支持された状態で下方へ垂らされるように、水流出ノズル４の上下孔４４のサイズ（径）より大きく形成されている。また、吊り下げ部材６は、上部水溜２のねじ孔Ｎを通過できるように、このねじ孔より小さく（例えば、水流出ノズル４の差込部４１の径とほぼ同サイズに）形成されている。樹脂フィルム５の下端には、例えば数百ｇの重り７が取り付けられている。したがって、下方に垂らされた樹脂フィルム５には、この重り７によって、ぴんと張るような一定の張力が与えられる。
【００２８】
天井側化粧板８Ａは、図１や図２で示されるように、上部水溜め２の下面側を隠すように、支持架台９の上部梁９０・・に取り付けられる。また、床側化粧板８Ｂは、下部水溜め３の上面側を隠すように、支持架台９の下部梁９１・・に取り付けられる。これらの化粧板８Ａ，８Ｂには、樹脂フィルム５やこの周りに形成される柱状水流Ｓが通過する孔８０が多数（１６個）形成されている。なお、この孔８０は、水流出ノズル４や重り７が通過できる大きさに形成されている。
【００２９】
支持架台９は、図１で示されるように、４本の上部梁９０・・、４本の下部梁９１・・、４本の柱９２・・等から構成されている。４本の柱９２・・の下部側は、下部外壁パネル１０Ｂ・・で覆われていて、これと床側化粧板８Ｂとによって、下部水溜め３側が見えないようになっている。また、４本の柱９２・・の上端側は、上部外壁パネル１０Ａ・・で覆われていて、これと天井側化粧板８Ａとによって、上部水溜め２側が見えないようになっている。さらに、４本の柱９２の中間部は、ガラス板１１・・によって覆われていて、柱状水流Ｓ・・を見る者が、この水流Ｓ・・側に手等を差し出せないようになっている。なお、柱９２の下端は建物の床面Ｆに固定されている。
【００３０】
ポンプ１２及び水パイプ１４は、下部水溜め３中の水Ｗを上部水溜め２に戻して循環させるためのものである。流量調整弁１３は、ポンプ１２による循環水量を調整するものであり、これによって、上部水溜め２内の水面Ｌの上下位置が調整される。なお、水パイプ１４は、支持架台９の１本の柱９２中を通って、上部水溜め２まで配管されている。
【００３１】
つぎに、この水流鑑賞装置１の据付け（組み立て）作業とメンテナンス作業について説明する。水流鑑賞装置１を据え付けるには、まず、上部水溜め２を建物の天井Ｔ側に設置するとともに、下部水溜め３を建物の床面Ｆ側に設置する。つぎに、図４の（ａ）で示されるように、水流出ノズル４の上下孔４４に、下方側から樹脂フィルム５の一端側を通した後、樹脂フィルム５の先端を、吊り下げ部材６の溝６ａに差し込んで、この吊り下げ部材６を加圧して変形させ、吊り下げ部材６を樹脂フィルム５の先端に固定する。このことにより、樹脂フィルム５の一端側（上端側）は、水流出ノズル４からの抜け落ちが防止され、この水流出ノズル４に支持される。また、樹脂フィルム５の下端に重り７を取り付ける。つづいて、図４の（ｂ）で示されるように、樹脂フィルム５が支持される水流出ノズル４に上方からパッキンＰを取り付け、これを締付部４０上で支持する。
【００３２】
つぎに、樹脂フィルム５の上端側やパッキンＰが支持された水流出ノズル４を、図４の（ｃ）で示されるように、上部水溜め２の下方側から、底部２０ａに形成されたねじ孔Ｎ中に通し、雄ねじ部４２をねじ孔Ｎにねじ込んで、上部水溜め２に取り付ける。この水流出ノズル４の上部水溜め２への取り付けは、例えば、図５で示されるような状況下で、比較的容易になされる。
【００３３】
すなわち、図５で示されるように、下部水溜め３の左右両側に一対の支持台Ｑ，Ｑを置き、これらをつなぐように、これらの上面に足場板Ｙ・・をのせて、この足場板Ｙ・・上にＶ形の梯子（脚立）Ｋを設置する。そして、この梯子Ｋ上の作業者Ｍは、樹脂フィルム５やパッキンＰが取り付けられた水流出ノズル４を片手で持って、これを上部水溜め２に取り付ける。水流出ノズル４が上部水溜め２に取り付けられると、樹脂フィルム５は、下端の重り７によって、一定の張力でピンと張られた状態となる。この重り７は下部水溜め３内に位置決めされる。なお、図５で示されるように、前もって、天井側化粧板８Ａと床側化粧板８Ｂとを下部水溜め３上に積み重ねておき、開口８０中に樹脂フィルム５の下端側を通しておくようにしてもよい。
【００３４】
つぎに、支持架台９を組んで、上部外壁パネル１０Ａや下部外壁パネル１０Ｂで、上部水溜め２や下部水溜め３周りを覆うとともに、ポンプ１２、流量調整弁１３、水パイプ１４を設置する。つづいて、天井側化粧板８Ａ、床側化粧板８Ｂを設置するとともに、ガラス板１１を設置すると、この水流鑑賞装置１の据付作業は終了する。
【００３５】
つぎに、この水流鑑賞装置１のメンテナンス作業について説明する。この水流鑑賞装置１を長時間使用していると、水流出ノズル４の上下孔４４等に水垢やゴミが付着し、水の流れが悪くなる。そこで、一定期間毎（例えば１年毎）に水流出ノズル４周り等の点検や清掃が必要となる。
【００３６】
水流出ノズル４周りのメンテナンス作業では、例えば、すべてのガラス板１１・・を取り外すとともに、図５で示されるように、天井側化粧板８Ａを取り外して、これを床側化粧板８Ｂ上に積み重ねる。つづいて、水流鑑賞装置１の据付け時に説明したように、下部水溜め３周りに、支持台Ｑ，Ｑ、足場板Ｙ・・、梯子Ｋを設置する。そして、梯子Ｋ上の作業者Ｍが、上部水溜め２の下方側から水流出ノズル４を樹脂フィルム５等と共に取り外し、これらを点検する。そして、不都合がなければ、水流出ノズル４を雄ねじ部４２を介してねじ孔Ｎにねじ込んで、再び上部水溜め２に取り付ける。また、ゴミや水あかの付着したものは、地上に下ろして又はその場で清掃し、その後、同様に上部水溜め２に取り付ける。そして、すべての水流出ノズル４等の点検・清掃が終了すると、天井側化粧板８Ａ等を取り付けて、上部水溜め２側の点検・清掃を終了する。
【００３７】
なお、上部水溜め２側からすべての水流出ノズル４等を取り外した後、カバー２０を開けて上部水溜め２内の点検や清掃を行ってもよい。もちろん、下部水溜め３側の点検・清掃は、床側化粧板８Ｂを取り外して行えばよい。
【００３８】
以上のように、この水流鑑賞装置１では、樹脂フィルム５を支持する水流出ノズル４を上部水溜め２の下方側（底部２０ａ側）から、この、上部水溜め２に対して着脱可能に取り付けるようにしている。このため、この水流鑑賞装置１では、水流出ノズル４を、建物の天井と上部水溜め２との間の狭い空間Ｖ側から上部水溜め２に取り付けたり、取り外したりする必要がなく、水流出ノズル４の取り付け、取り外しの容易化を図ることができる。また、この水流鑑賞装置１では、水流出ノズル４と一体で、樹脂フィルム５の取り付け、取り外しができるので、水流出ノズル１０１とは別に、樹脂フィルム１０３を上部水溜め１００の下方から、この上部水溜め１００内に差し込まなければない従来のものに比べて、樹脂フィルム５の取り付け、取り外し（着脱）の容易化をも図ることができる。したがって、この水流鑑賞装置１では、上部水溜め２側の据え付け作業やメンテナンス作業の容易化を図ることができる。
【００３９】
なお、水流出ノズル４の上部水溜め２への取り付けは、ねじ式以外のもの（例えば、ワンタッチ着脱式のもの）であってもよい。
【００４０】
また、水流形成媒体は、一定断面をした細長い形状のものであれば、どのような断面（例えば、矩形断面、十字断面、円筒や角筒の断面、角柱や円柱の断面）のものであってもよく、材質も、合成樹脂、ガラス等どのようなものでもよい。また、水流形成媒体は、透明なものであれば、色は有色（多色を含む）、無色のいずれでもよい。
【００４１】
さらに、水流出ノズル４は、さび等が防止でき、その機能が発揮できるものであれば、真鍮、ステンレス、合成樹脂等どのような材質のものから形成されていてもよい。また、上部水溜め２、下部水溜め３も、さび等が防止でき、その機能が発揮できるものであれば、鉄、ステンレス、合成樹脂どのような材質のものから形成されていてもよい。
【００４２】
また、柱状水流Ｓの数は、例えば、数本〜数千本のいずれであってもよく、柱状水流Ｓの配列状態は、例えば、３０行３０列、１行１０００列、千鳥配列、閉曲面（円形）状配列、物の外形を示すような配列（星形等）、多角形状配列、渦巻き状配列、これらの組合せ配列等であってもよい。また、柱状水流Ｓの相互間の距離（ピッチ）は、例えば、２０〜１０００ｍｍのいずれであってもよいし、柱状水流Ｓの上下長さは、例えば、２〜十数ｍのいずれであってもよいし、柱状水流Ｓの径は、例えば、数ｍｍ〜数十ｍｍのいずれであってもよい。
【００４３】
つぎに、水流出ノズル４の作用を、従来使用されている（図８や図９で示した）水流出ノズル１０１の作用と比較して、図６及び図７を参照しつつ説明する。図６は本実施の形態に係る水流出ノズル４に関するものを示し、図７は従来の水流出ノズル１０１に関するものを示す。なお、説明の都合上、従来の水流出ノズル１０１に形成された、上下孔１０１ａと、これと９０度の角度で交差するように貫通して設けられる水平孔１０１ｂとの径は、本実施形態に係る水流出ノズル４の上下孔４４の径ｄと同サイズであるものとする。また、水流出ノズル４の水平孔４５の水平中心線Ｕ１の上部水溜め２の底面からの距離は、従来の水流出ノズル１０１の水平孔１０１ｂの水平中心線Ｕ２のそれと同じであるものとする。
【００４４】
ここで、水流鑑賞装置１等では、上部水溜め２，１００から下部水溜め３，１０２に向かって、樹脂フィルム５，１０３に沿わせつつ水の表面張力を利用して円柱状の水流Ｓを形成するものであるため、上部水溜め２，１００内の水Ｗを樹脂フィルム５，１０３側に乱れのない状態で供給する必要がある。したがって、水流出ノズル４，１０１の上下孔４４，１０１ａ中の水Ｗの流れに乱れがあると、樹脂フィルム５，１０３に沿った柱状水流Ｓに乱れが生じ、きれいな円柱状にならなかったり、水流Ｓから水滴の飛散が生じたりして、柱状水流Ｓの美観が損なわれる。したがって、水流出ノズル４，１０１の上下孔４４，１０１ａ中の水Ｗの流れを調べることが重要となる。
【００４５】
まず、図６の（ａ）や図７の（ａ）で示されるように、上部水溜め２の水面Ｌが、水流出ノズル４，１０１の水平孔４５，１０１ｂの水平中心線Ｕ１，Ｕ２の位置にある場合について考える。本実施の形態に係る水流出ノズル４では、水平孔４５は、上下に長い長孔となっているので、図６（ａ）で示されるように、水面Ｌの下方にも水平孔４５は充分に延びている。したがって、この水流出ノズル４では、上部水溜め２内の水が比較的容易に水平孔４５内に流れ込む。このため、この水平孔４５の下方にある上下孔４４には、図６の（ｂ）で示されるように、上方、左斜め上方、右斜め上方、左方、右方からほぼ均一に（ほぼ等しい流速Ｒで）水Ｗが流れ込み、上下孔４４内の水Ｗの流れに大きな乱れは生じない。
【００４６】
従来の水流出ノズル１０１では、水平孔１０１ｂは、断面が円形となるように形成されているので、図７の（ａ）で示されるように、水面Ｌの下方には、水平孔１０１ｂは半円分ずつしか延びていない。そして、水中の上下孔１０１ａのすぐ上方に水面Ｌが存在する。したがって、この水流出ノズル１０１では、図７の（ｂ）で示されるように、上部水溜め２の水Ｗは左右からぶつかるようにして水平孔１０１ｂ内に入り、その後、水平孔１０１ｂの下方にある上下孔１０１ａに流れ込む。このため、この水流出ノズル１０１では、上下孔１０１ａに、上方から流れ込む水Ｗの量は少なく、かつ、左右から流れ込む水Ｗにぶつかり合いが生じて、上下孔１０１ａ内の水の流れに乱れが生じやすい。但し、この水流出ノズル１０１では水面Ｌが上下孔１０１ａのすぐ上にあり、上下孔１０１ａに流れ込む水の流速Ｒが小さいため、上下孔１０１ａ中の水の乱れは比較的小さい。
【００４７】
一方、上部水溜め２，１００の水面Ｌの位置は、流量調整弁１３等の開度によって上下に変動する。例えば、流量調整弁１３等の弁開度が大きければ、下部水溜め３，１０２から上部水溜め２，１００への流量が増え、上部水溜め２，１０２の水面Ｌは上昇し、その水面Ｌの位置に見合った分だけ、多量の水が、樹脂フィルム５，１０３を介して下部水溜め３，１０２へ降下する。そこで、図６の（ａ）及び図７の（ａ）で示されるように、上部水溜め２，１００中の水面Ｌの位置が所定量だけ上昇した場合（水面がＬ１の場合）について考えてみる。
【００４８】
本実施の形態に係る水流出ノズル４では、水面Ｌの位置がＬ１に上昇することに伴い、上下孔４４に流入する水量が増加するだけで、上下孔４４中の水の流れに特別な乱れ（流量増以外の乱れ）は生じない。ところが、従来の水流出ノズル１０１では、水面Ｌの位置がＬ１に上昇することに伴い、水平孔１０１ｂから上下孔１０１ａに向かう水の流速Ｒが大きく上昇するため、上下孔１０１ａに左右から流れ込む水Ｗのぶつかり合い（乱流度合）が増加し、上下孔１０１ａ中の水の流れに特別な乱れ（流量増以外の乱れ）が生じる。
【００４９】
もちろん、水面Ｌが水平孔１０１ｂの下方に下降すれば、水流出ノズル１０１には水Ｗが流入せず、樹脂フィルム１０３周りには柱状水流Ｓは形成されないが、水流出ノズル４では、このような現象は生じにくい。
【００５０】
以上のように、この水流鑑賞装置１では、水流出ノズル４の水平孔４５の幅サイズＪを上下孔４４の径と同じか又は大きくし、かつ、上下サイズＨが幅サイズＪより大きい長孔としているので、従来の水流出ノズル１０１と比べて上下孔４４中の水の流れに乱れが生じにくく、その分、柱状水流Ｓに乱れが生じるのを防止できる。また、この水流出ノズル４では、従来の水流出ノズル１０１に比べて、上部水溜め２の水面Ｌの上下変動に対する、水流出ノズル４内における水流の乱れの程度は比較的小さく、その分、柱状水流Ｓに乱れが生じるのを防止できる。
【００５１】
なお、水平孔４５の幅サイズＪは、上下孔４４の径ｄよりできるだけ大きい方がよいが、この径ｄより小さくても、その分、上下サイズＨがある程度大きければよい。また、水平孔４５の下端は、雄ねじ部４２近傍まで延びていてもよい。
【図面の簡単な説明】
【００５２】
【図１】この発明の一実施の形態に係る水流鑑賞装置の外観斜視図である。
【図２】水流鑑賞装置の主要部の構成を示す断面図である。
【図３】水流出ノズルを示す図であり、（ａ）は正面図、（ｂ）は側面図、（ｃ）は上面図、（ｄ）は底面図である。
【図４】水流出ノズル等の取り付け説明図であり、（ａ）は水流出ノズルに樹脂フィルムの一端側を支持させようとする説明用斜視図、（ｂ）は樹脂フィルムの一端側を支持した水流出ノズルにパッキンを取り付けようとする説明用斜視図、（ｃ）は樹脂フィルムやパッキンを支持した水流出ノズルを上部水溜めに取り付けようとする説明用断面図である。
【図５】樹脂フィルムの一端側を支持した水流出ノズルを、作業者が上部水溜めに取り付けようとしている状態を示す図である。
【図６】この実施の形態に係る水流出ノズルの作用説明図であり、（ａ）は上部水溜めの中にある水流出ノズルの断面図、（ｂ）は（ａ）の部分拡大図である。
【図７】従来使用されている水流出ノズルの作用説明図であり、（ａ）は上部水溜め中にある水流出ノズルの断面図、（ｂ）は（ａ）の部分拡大図である。
【図８】従来の水流鑑賞装置の説明図である。
【図９】図８で示される水流鑑賞装置の水流出ノズル、樹脂フィルム等の取り付け用説明図である。
【符号の説明】
【００５３】
１    水流鑑賞装置
２    上部水溜め
３    下部水溜め
４    水流出ノズル
５    樹脂フィルム
４４    上下孔
４５    水平孔
Ｊ    幅サイズ
Ｈ    上下サイズ
Ｓ    柱状水流
【図１】
2005313451.tif 000003
【図２】
2005313451.tif 000004
【図３】
2005313451.tif 000005
【図４】
2005313451.tif 000006
【図５】
2005313451.tif 000007
【図６】
2005313451.tif 000008
【図７】
2005313451.tif 000009
【図８】
2005313451.tif 000010
【図９】
2005313451.tif 000011